(57)【要約】【課題】誤報知を抑制可能な生体情報報知装置を提供する。【解決手段】生体情報報知装置は、被検者の脈波情報を取得する脈波情報取得部と、前記被検者の血圧情報を取得する血圧情報取得部と、前記脈波情報に基づく脈波乱れ、及び、前記血圧情報に基づく血圧低下、を検出する制御部と、前記脈波乱れ及び前記血圧低下が検出された場合に、報知を行う報知部と、を備える。【選択図】図４
2019170502.tif 000002
【特許請求の範囲】
【請求項１】
被検者の脈波情報を取得する脈波情報取得部と、
前記被検者の血圧情報を取得する血圧情報取得部と、
前記脈波情報に基づく脈波乱れ、及び、前記血圧情報に基づく血圧低下、を検出する制御部と、
前記脈波乱れ及び前記血圧低下が検出された場合に、報知を行う報知部と、を備える生体情報報知装置。
【請求項２】
前記制御部は、直前の血圧値と、現時点での血圧値との差を算出し、その差が所定値以上である場合に、前記血圧低下を検出する、請求項１に記載の生体情報報知装置。
【請求項３】
前記制御部は、前記脈波乱れが生じた際の初期血圧値と、現時点での血圧値との差を算出し、その差が所定値以上である場合に、前記血圧低下を検出する、請求項１又は２に記載の生体情報報知装置。
【請求項４】
時間帯ごとの標準血圧値の情報を記憶する記憶部を更に備え、
前記制御部は、前記記憶部に記憶された現時点に対応する時間帯の前記標準血圧値と、現時点での血圧値との差を算出し、その差が所定値以上である場合に、前記血圧低下を検出する、請求項１に記載の生体情報報知装置。
【請求項５】
時間帯ごとの標準血圧値の情報を記憶する記憶部を更に備え、
前記制御部は、前記脈波乱れが生じた際の初期血圧値と、現時点での血圧値との差を算出し、その差が所定値以上であり、かつ、前記記憶部に記憶された現時点に対応する時間帯の前記標準血圧値と、現時点での血圧値との差を算出し、その差が所定値以上である場合に、前記血圧低下を検出する、請求項１に記載の生体情報報知装置。
【請求項６】
前記血圧情報取得部は、前記脈波情報の周期と同期するタイミングで、前記血圧情報を取得する、請求項１から５のいずれか一項に記載の生体情報報知装置。
【請求項７】
前記被検者の活動量情報を取得する活動量情報取得部を更に備え、
前記制御部は、前記活動量情報に基づく安静状態が検出されているときに、前記脈波乱れの有無、及び、前記血圧低下の有無を検出する、請求項１から６のいずれか一項に記載の生体情報報知装置。
【請求項８】
生体情報報知装置により実行される生体情報報知方法であって、
被検者の脈波情報を取得するステップと、
前記被検者の血圧情報を取得するステップと、
前記脈波情報に基づく脈波乱れ、及び、前記血圧情報に基づく血圧低下、を検出するステップと、
前記脈波乱れ及び前記血圧低下が検出された場合に、報知を行うステップと、を含む生体情報報知方法。
【発明の詳細な説明】
【技術分野】
【０００１】
本開示は、生体情報報知装置及び生体情報報知方法に関する。
【背景技術】
【０００２】
心房細動は、心原性脳梗塞等の重大な病気の原因となり得る。心房細動の確定診断は、心電図を測定することによって行うことができる。しかし、心電図の測定は大掛かりとなりやすいため、心電図の測定を常時行うことは困難である。よって、発作性心房細動等、低頻度で発生する心房細動を、心電図の測定によって早期に発見することは困難な場合がある。
【０００３】
特許文献１には、脈波情報に基づいて不整脈としての心房細動を検出し、当該心房細動が検出された場合に、ユーザーに心電図の測定を促す報知情報を出力する装置が記載されている。
【先行技術文献】
【特許文献】
【０００４】
【特許文献１】特開２０１６−４７０９２号公報
【発明の概要】
【発明が解決しようとする課題】
【０００５】
特許文献１に記載の装置によれば、脈波情報に基づいて心房細動を検出した場合に、ユーザーに心電図の測定を促す報知情報を出力することができるので、心電図の測定による心房細動の確定診断を促すことができる。しかしながら、脈波情報には、脈波以外にも体動等によるノイズが乗ることがあるため、脈波情報のみに基づいて報知を行うと、心房細動の可能性が低い場合等、報知が不要な場合にも誤って報知してしまうことが起こりやすい。
【０００６】
本開示の目的は、上記問題に鑑み、誤報知を抑制可能な生体情報報知装置及び生体情報報知方法を提供することである。
【課題を解決するための手段】
【０００７】
本発明の一態様としての生体情報報知装置は、被検者の脈波情報を取得する脈波情報取得部と、前記被検者の血圧情報を取得する血圧情報取得部と、前記脈波情報に基づく脈波乱れ、及び、前記血圧情報に基づく血圧低下、を検出する制御部と、前記脈波乱れ及び前記血圧低下が検出された場合に、報知を行う報知部と、を備える。
【０００８】
本発明の一実施形態としての生体情報報知装置において、前記制御部は、直前の血圧値と、現時点での血圧値との差を算出し、その差が所定値以上である場合に、前記血圧低下を検出する。
【０００９】
本発明の一実施形態としての生体情報報知装置において、前記制御部は、前記脈波乱れが生じた際の初期血圧値と、現時点での血圧値との差を算出し、その差が所定値以上である場合に、前記血圧低下を検出する。
【００１０】
本発明の一実施形態としての生体情報報知装置は、時間帯ごとの標準血圧値の情報を記憶する記憶部を更に備え、前記制御部は、前記記憶部に記憶された現時点に対応する時間帯の前記標準血圧値と、現時点での血圧値との差を算出し、その差が所定値以上である場合に、前記血圧低下を検出する。
【００１１】
本発明の一実施形態としての生体情報報知装置は、時間帯ごとの標準血圧値の情報を記憶する記憶部を更に備え、前記制御部は、前記脈波乱れが生じた際の初期血圧値と、現時点での血圧値との差を算出し、その差が所定値以上であり、かつ、前記記憶部に記憶された現時点に対応する時間帯の前記標準血圧値と、現時点での血圧値との差を算出し、その差が所定値以上である場合に、前記血圧低下を検出する。
【００１２】
本発明の一実施形態としての生体情報報知装置において、前記血圧情報取得部は、前記脈波情報の周期と同期するタイミングで、前記血圧情報を取得する。
【００１３】
本発明の一実施形態としての生体情報報知装置は、前記被検者の活動量情報を取得する活動量情報取得部を更に備え、前記制御部は、前記活動量情報に基づく安静状態が検出されているときに、前記脈波乱れの有無、及び、前記血圧低下の有無を検出する。
【００１４】
本発明の一態様としての生体情報報知方法は、生体情報報知装置により実行される生体情報報知方法であって、被検者の脈波情報を取得するステップと、前記被検者の血圧情報を取得するステップと、前記脈波情報に基づく脈波乱れ、及び、前記血圧情報に基づく血圧低下、を検出するステップと、前記脈波乱れ及び前記血圧低下が検出された場合に、報知を行うステップと、を含む。
【発明の効果】
【００１５】
本開示によると、誤報知を抑制可能な生体情報報知装置及び生体情報報知方法を提供することができる。
【図面の簡単な説明】
【００１６】
【図１】本発明の一実施形態としての生体情報報知装置の外観の一例を示す図である。
【図２】図１の生体情報報知装置の本体部の構成を示すブロック図である。
【図３】図１の生体情報報知装置が記憶する血圧値日内変動情報の一例を示す図である。
【図４】図１の生体情報報知装置が実行する報知処理を示すフローチャートである。
【図５】脈波情報及び血圧情報を模式的に示す図である。
【発明を実施するための形態】
【００１７】
以下、本発明の一実施形態について、図面を参照して説明する。各図において共通の要素には、同一の符号を付している。
【００１８】
図１は、本発明の一実施形態としての生体情報報知装置１の外観の一例を示す図である。図１に示すように、生体情報報知装置１は、本体部２と、装着部３と、を備える。
【００１９】
本体部２は、生体情報報知装置１の本体を構成する。本体部２の詳細については後述する。装着部３は、本体部２に固定され、本体部２を被検者の体表面に接触した状態で保持するための部材である。図１に示す例では、装着部３は、可撓性を有する長尺状の部材であり、被検者の手首等の部位に巻きつけられた状態で、生体情報報知装置１を当該部位に装着させる。換言すれば、被検者は、本体部２を体表面に接触させた状態で、装着部３を手首等の部位に巻き付けることで、生体情報報知装置１を装着することができる。生体情報報知装置１は、後述する本体部２の脈波情報取得部１０（図２参照）及び血圧情報取得部２０（図２参照）が精度良く生体情報を取得するために、本体部２が被検者の動脈上の皮膚に接触した状態で装着されることが好ましい。図１に示す例では、生体情報報知装置１は、本体部２が被検者の左手の親指側の動脈である脛骨動脈上の皮膚に接触した状態で装着されている。生体情報報知装置１が装着される位置は、被検者の手首には限定されず、例えば、首、足首、太もも、耳等、動脈の近傍であればよい。
【００２０】
図２は、生体情報報知装置１の本体部２の構成を示すブロック図である。図２に示すように、本体部２は、脈波情報取得部１０と、血圧情報取得部２０と、活動量情報取得部３０と、制御部４０と、記憶部５０と、報知部６０と、を備える。
【００２１】
脈波情報取得部１０は、被検者の生体情報としての脈波情報を取得する。脈波情報取得部１０は、例えば、発光部と受光部とからなる光学脈波センサを備える。光学脈波センサは、発光部から赤外光又は赤色光を被検者の体表面に照射し、被検者の生体内からの反射光を受光部で検出することで、光の吸収量の時間変動を測定できる。光の吸収量は、血液中の酸化ヘモグロビン等の量に依存するため、光学脈波センサによれば、血流量の時間変動の情報、すなわち脈波情報を、非侵襲的に取得できる。脈波情報取得部１０は、後述する血圧情報取得部２０が備える圧力センサで構成してもよい。
【００２２】
血圧情報取得部２０は、被検者の生体情報としての血圧情報を取得する。血圧情報取得部２０は、例えば、圧力センサを備え、トノメトリ法により、脈波１周期（脈拍１拍）ごとの血圧を測定することができる。すなわち、血圧情報取得部２０は、例えば、圧力センサを用いて、被検者の動脈を体表面から押圧し、圧脈波と血圧が等しくなるように押圧条件を調整した状態で脈波１周期ごとの圧脈波を測定すれば、脈波１周期ごとの血圧を測定できる。
【００２３】
血圧情報取得部２０は、脈波情報の周期と同期するタイミングで、血圧情報を取得することが好ましい。詳細には、血圧情報取得部２０は、脈波情報の周期が同じ位相となるタイミング、例えばピークを取るタイミングで、血圧情報を取得することが好ましい。
【００２４】
活動量情報取得部３０は、例えば、加速度センサを備え、被検者の生体情報としての、歩数等の活動量情報を取得する。
【００２５】
制御部４０は、例えば記憶部５０に記憶された種々の情報及びプログラムのうち、所定の情報及びプログラムを読み込むことにより所定の機能を実現するプロセッサを含み、生体情報報知装置１の各構成部を制御する。具体的に、制御部４０は、記憶部５０に記憶された所定の情報及びプログラムを読み込み、後述する報知処理等を実行する。制御部４０は、脈波情報取得部１０によって取得される被検者の脈波情報、血圧情報取得部２０によって取得される被検者の血圧情報、及び、活動量情報取得部３０によって取得される被検者の活動量情報、を取得する。
【００２６】
記憶部５０は、例えば記憶装置を含んで構成され、種々の情報及びプログラムを記憶する。具体的に、記憶部５０は、後述する報知処理等を制御部４０に実行させるためのプログラム及び情報を記憶する。図２に示すように、記憶部５０は、報知処理を制御部４０に実行させるための情報として、血圧値日内変動情報５１、初期血圧値情報５２、及び生体履歴情報５３を記憶する。
【００２７】
図３は、血圧値日内変動情報５１の一例を示す図である。図３に示すように、血圧値日内変動情報５１は、被検者の１日における、時間帯ごとの標準血圧値の情報である。具体的に、血圧値日内変動情報５１は、所定の時間帯と、当該所定の時間帯での標準血圧値と、の対応情報が、１日の全ての時刻が属する複数の時間帯について保持された情報である。標準血圧値は、各時間帯での被検者にとっての標準的な血圧値であり、例えば、血圧情報取得部２０によって直近の複数の日数に亘って取得された血圧情報に基づいて算出された、各時間帯での血圧値の平均値であってもよい。一般的に、血圧値は、就寝時間を含む深夜に低下し、活動量が多くなる日中に上昇する傾向がある。図３に示す例においても、時間帯が０時〜６時であるときに標準血圧値が１００ｍｍＨｇと最も小さくなっており、時間帯が１２時〜１８時であるときに標準血圧値が１５０ｍｍＨｇと最も大きくなっている。図３に示す例では、１日を４つの時間帯に分けているが、複数の時間帯であればよい。すなわち、時間帯は２つでもよいし、３つでもよいし、５つ以上でもよい。
【００２８】
図２に示す初期血圧値情報５２は、後述する報知処理において、脈波乱れが継続的に検出される場合の、脈波乱れが検出され始めた時点での血圧値（以下、適宜「初期血圧値」と称する。）の情報である。初期血圧値情報５２の詳細については後述する。生体履歴情報５３は、脈波情報取得部１０によって取得される被検者の脈波情報、血圧情報取得部２０によって取得される被検者の血圧情報、及び、活動量情報取得部３０によって取得される被検者の活動量情報、の履歴情報である。生体履歴情報５３には、例えば、直前に取得された脈波情報、血圧情報、及び活動量情報を含む。
【００２９】
報知部６０は、後述する報知処理において、被検者に心電図測定タイミングの報知を行う。報知部６０は、スピーカ、振動子、又は発光素子等を含み、音、振動、又は光等による報知を行う。報知部６０は、通信装置を含んでもよく、他の装置が報知を行うことが可能なように、当該通信装置を介して当該他の装置に報知情報を送信してもよい。
【００３０】
図４は、生体情報報知装置１が実行する報知処理を示すフローチャートである。
【００３１】
図４に示すように、まず、生体情報報知装置１は、被検者の脈波情報、血圧情報、及び活動量情報を取得する（ステップＳ１０１）。具体的に、生体情報報知装置１は、脈波情報取得部１０を用いて被検者の脈波情報を取得し、血圧情報取得部２０を用いて被検者の血圧情報を取得し、活動量情報取得部３０を用いて被検者の活動量情報を取得する。生体情報報知装置１は、取得した脈波情報、血圧情報、及び活動量情報を、記憶部５０に記憶された生体履歴情報５３に追加する。
【００３２】
図５は、脈波情報及び血圧情報を模式的に示す図である。図５に示すように、血圧情報取得部２０は、脈波情報の周期と同期するタイミングで、血圧情報としての血圧値を取得する。図５に示す例では、血圧情報取得部２０は、脈波情報に対応する脈波がピークを取るタイミング（図５では、時刻ｔ１、ｔ２、ｔ３、・・・ｔ９の各タイミング）で、血圧情報としての血圧値を断続的に取得する。以下では、生体情報報知装置１が、本ステップの処理を１回実行するごとに、血圧情報としての血圧値を１つ取得するとして説明する。
【００３３】
次に、生体情報報知装置１は、制御部４０を用いて、ステップＳ１０１の処理で取得した活動量情報に基づいて、安静状態を検出するか否かを判定する（ステップＳ１０２）。具体的に、生体情報報知装置１は、例えば、今回取得された活動量情報に対応する活動量が、前回取得された活動量情報に対応する活動量に対して、所定量以上変化していれば安静状態ではないと判定し、所定量未満の変化量であれば安静状態であると判定する。生体情報報知装置１は、安静状態を検出しない場合（ステップＳ１０２のＮｏ）、ステップＳ１０１の処理に戻る。
【００３４】
一方、生体情報報知装置１は、安静状態を検出する場合（ステップＳ１０２のＹｅｓ）、制御部４０を用いて、ステップＳ１０１の処理で取得した脈波情報に基づいて、脈波乱れを検出するか否かを判定する（ステップＳ１０３）。具体的に、生体情報報知装置１は、例えば、今回取得された脈波情報に対応する脈波の周期が、前回取得された脈波情報に対応する脈波の周期に対して、所定割合以上変化していれば脈波乱れ有りと判定し、所定割合未満の変化割合であれば脈波乱れなしと判定する。
【００３５】
例えば、図５に示すように、時刻ｔ２と時刻ｔ３との間の脈波の周期は、時刻ｔ１と時刻ｔ２との間の脈波の周期に対して、略変化していないので、所定割合未満の変化割合であるとして、脈波乱れなしと判定される。一方、時刻ｔ３と時刻ｔ４との間の脈波の周期は、時刻ｔ２と時刻ｔ３との間の脈波の周期に対して、大きく変化しているので、所定割合以上変化しているとして、脈波乱れ有りと判定される。以下の説明では、時刻ｔ３までは脈波乱れなしと判定され、時刻ｔ４以降は脈波乱れ有りと判定されるとして説明する。
【００３６】
図４に示すように、生体情報報知装置１は、脈波乱れを検出しない場合（ステップＳ１０３のＮｏ）、脈波乱れが終了した、又は脈波乱れが生じていないと判定し、制御部４０を用いて、記憶部５０に記憶された初期血圧値情報５２に含まれる初期血圧値を消去し（ステップＳ１０４）、ステップＳ１０１の処理に戻る。
【００３７】
一方、生体情報報知装置１は、脈波乱れを検出する場合（ステップＳ１０３のＹｅｓ）、制御部４０を用いて、記憶部５０に記憶された初期血圧値情報５２に含まれる初期血圧値が設定済みであるか否かを判定する（ステップＳ１０５）。
【００３８】
生体情報報知装置１は、初期血圧値が設定されていないと判定する場合（ステップＳ１０５のＮｏ）、現時点から脈波乱れが検出され始めたと判定し、制御部４０を用いて、今回取得された血圧値情報に対応する血圧値を初期血圧値に設定し（ステップＳ１０６）、ステップＳ１０１の処理に戻る。
【００３９】
一方、生体情報報知装置１は、初期血圧値が設定済みであると判定する場合（ステップＳ１０５のＹｅｓ）、脈波乱れが継続的に検出されていると判定し、制御部４０を用いて、今回取得された血圧情報に対応する血圧値（現時点での血圧値）と、直前に取得された血圧情報に対応する血圧値（直前の血圧値）と、の差を算出する（ステップＳ１０７）。直前に取得された血圧情報は、制御部４０が一時的に記憶していてもよいし、記憶部５０に記憶された生体履歴情報５３から読み出してもよい。
【００４０】
また、生体情報報知装置１は、制御部４０を用いて、今回取得された血圧情報に対応する血圧値（現時点での血圧値）と、記憶部５０に記憶された初期血圧値情報５２に含まれる初期血圧値と、の差を算出する（ステップＳ１０８）。生体情報報知装置１は、ステップＳ１０８の処理を、ステップＳ１０７の処理よりも先に実行してもよいし、ステップＳ１０７の処理と同時に実行してもよい。
【００４１】
その後、生体情報報知装置１は、制御部４０を用いて、ステップＳ１０７の算出結果に基づいて、今回取得された血圧情報に対応する血圧値が、直前に取得された血圧情報に対応する血圧値よりも、第１所定値以上低下しているか否かを判定する（ステップＳ１０９）。換言すれば、生体情報報知装置１は、ステップＳ１０７の処理で算出した差が第１所定値以上であるか否かを判定する。第１所定値は、連続して取得される血圧情報に対応する血圧値の低下幅の閾値として用いられる。
【００４２】
例えば、図５に示すように、生体情報報知装置１は、時刻ｔ４以降、脈波乱れが継続的に検出されている場合において、今回としての時刻ｔ７で取得された血圧情報に対応する血圧値が、直前としての時刻ｔ６で取得された血圧情報に対応する血圧値よりも、第１所定値以上低下しているか否かを判定する。
【００４３】
図４に示すように、生体情報報知装置１は、今回取得された血圧情報に対応する血圧値が、直前に取得された血圧情報に対応する血圧値よりも、第１所定値以上低下してはいないと判定する場合（ステップＳ１０９のＮｏ）、後述するステップＳ１１０の処理に進む。一方、生体情報報知装置１は、今回取得された血圧情報に対応する血圧値が、直前に取得された血圧情報に対応する血圧値よりも、第１所定値以上低下していると判定する場合（ステップＳ１０９のＹｅｓ）、後述するステップＳ１１１の処理に進む。
【００４４】
生体情報報知装置１は、ステップＳ１１０の処理において、制御部４０を用いて、今回取得された血圧情報に対応する血圧値が、記憶部５０に記憶された初期血圧値情報５２に含まれる初期血圧値よりも、第２所定値以上低下しているか否かを判定する。換言すれば、生体情報報知装置１は、ステップＳ１０８の処理で算出した差が第２所定値以上であるか否かを判定する。第２所定値は、初期血圧値、すなわち、脈波乱れが検出され始めた時点での血圧値、に対する現時点の血圧値の低下幅の閾値として用いられる。第２所定値は、例えば第１所定値よりも大きい値である。
【００４５】
例えば、図５に示すように、生体情報報知装置１は、時刻ｔ４以降、脈波乱れが継続的に検出されている場合において、今回としての時刻ｔ７で取得された血圧情報に対応する血圧値が、初期血圧値としての時刻ｔ４での血圧値よりも、第２所定値以上低下しているか否かを判定する。
【００４６】
図４に示すように、生体情報報知装置１は、今回取得された血圧情報に対応する血圧値が、記憶部５０に記憶された初期血圧値情報５２に含まれる初期血圧値よりも、第２所定値以上低下してはいないと判定する場合（ステップＳ１１０のＮｏ）、ステップＳ１０１の処理に戻る。一方、生体情報報知装置１は、今回取得された血圧情報に対応する血圧値が、記憶部５０に記憶された初期血圧値情報５２に含まれる初期血圧値よりも、第２所定値以上低下していると判定する場合（ステップＳ１１０のＹｅｓ）、後述するステップＳ１１１の処理に進む。
【００４７】
生体情報報知装置１は、ステップＳ１１１の処理において、制御部４０を用いて、今回取得された血圧情報に対応する血圧値が、記憶部５０に記憶された血圧値日内変動情報５１に含まれる時間帯のうち、現時点が属する時間帯の標準血圧値よりも、第３所定値以上低下しているか否かを判定する。第３所定値は、現時点が属する時間帯の標準血圧値に対する現時点の血圧値の低下幅の閾値として用いられる。第３所定値は、第１所定値及び第２所定値いずれとも無関係な所定の値である。例えば、図３に示すように、生体情報報知装置１は、現時点が属する時間帯が１２時〜１８時である場合、今回取得された血圧情報に対応する血圧値が、当該時間帯の標準血圧値１５０ｍｍＨｇよりも、第３所定値以上低下しているか否かを判定する。
【００４８】
図４に示すように、生体情報報知装置１は、今回取得された血圧情報に対応する血圧値が、現時点が属する時間帯の標準血圧値よりも、第３所定値以上低下してはいないと判定する場合（ステップＳ１１１のＮｏ）、ステップＳ１０１の処理に戻る。一方、生体情報報知装置１は、今回取得された血圧情報に対応する血圧値が、現時点が属する時間帯の標準血圧値よりも、第３所定値以上低下していると判定する場合（ステップＳ１１１のＹｅｓ）、報知部６０を用いて心電図測定タイミングを報知する（ステップＳ１１２）。
【００４９】
このように、生体情報報知装置１は、ステップＳ１０９、Ｓ１１０、及びＳ１１１の各処理で、血圧情報に基づく血圧低下の有無を検出する。ところで、生体情報報知装置１は、ステップＳ１０９、Ｓ１１０、及びＳ１１１の各処理のうち、少なくとも１つの処理を実行すればよい。例えば、生体情報報知装置１は、ステップＳ１０９及びＳ１１０の各処理を実行し、かつ、ステップＳ１１１の処理を実行しない場合、ステップＳ１０９の処理でＹｅｓと判定するとき、又は、ステップＳ１１０の処理でＹｅｓと判定する時、ステップＳ１１２の処理に進む。例えば、生体情報報知装置１は、ステップＳ１０９及びＳ１１１の各処理を実行し、かつ、ステップＳ１１０の処理を実行しない場合、ステップＳ１０９の処理でＮｏと判定するとき、ステップＳ１０１の処理に戻る。例えば、生体情報報知装置１は、ステップＳ１０９の処理を実行せず、かつ、ステップＳ１１０及びＳ１１１の処理を実行する場合、ステップＳ１０８の処理の後、ステップＳ１１０の処理に進む。例えば、生体情報報知装置１は、ステップＳ１０９の処理を実行し、かつ、ステップＳ１１０及びＳ１１１の処理を実行しない場合、ステップＳ１０９の処理でＹｅｓと判定するとき、ステップＳ１１２の処理に進み、ステップＳ１０９の処理でＮｏと判定するとき、ステップＳ１０１の処理に戻る。例えば、生体情報報知装置１は、ステップＳ１０９及びＳ１１１の処理を実行せず、かつ、ステップＳ１１０の処理を実行する場合、ステップＳ１０８の処理の後、ステップＳ１１０の処理に進み、ステップＳ１１０の処理でＹｅｓと判定するとき、ステップＳ１１２の処理に進み、ステップＳ１１０の処理でＮｏと判定するとき、ステップＳ１０１の処理に戻る。例えば、生体情報報知装置１は、ステップＳ１０９及びＳ１１０の処理を実行せず、かつ、ステップＳ１１１の処理を実行する場合、ステップ１０８の処理の後、ステップＳ１１１の処理に進む。
【００５０】
このように、本実施形態の生体情報報知装置１によれば、脈波情報に基づく脈波乱れ、及び、血圧情報に基づく血圧低下を検出し、脈波乱れ及び血圧低下が検出された場合に、報知を行うことができる。従って、脈波情報と血圧情報とに基づいて、心房細動が発生した可能性が高い場合に、心電図測定タイミング等を報知することができるので、誤報知を抑制することができる。
【００５１】
また、本実施形態の生体情報報知装置１によれば、脈波乱れが継続的に検出されているとき、血圧情報に基づいて、脈波乱れが検出され始めた時点からの血圧値の低下幅が所定値以上であると判定すると、血圧低下を検出することができる。換言すれば、本実施形態の生体情報報知装置１は、脈波乱れが生じた際の初期血圧値と、現時点での血圧値との差を算出し、その差が所定値以上である場合に、血圧低下を検出する。従って、脈波乱れの開始時からの血圧値の低下に基づいて、心房細動が発生した可能性がより高い場合に、血圧低下を検出することができるので、誤報知をより抑制することができる。
【００５２】
また、本実施形態の生体情報報知装置１によれば、脈波乱れが継続的に検出されているとき、血圧情報に基づいて、現時点が属する時間帯の標準血圧値に対する当該現時点での血圧値の低下幅が、所定値以上であると判定すると、血圧低下を検出することができる。換言すれば、本実施形態の生体情報報知装置１は、現時点に対応する時間帯の標準血圧値と、現時点での血圧値との差を算出し、その差が所定値以上である場合に、血圧低下を検出する。従って、血圧値の日内変動に基づいて、心房細動が発生した可能性がより高い場合に、血圧低下を検出することができるので、誤報知をより抑制することができる。
【００５３】
本発明は、上述した各実施形態で特定された構成に限定されず、特許請求の範囲に記載した内容を逸脱しない範囲内で種々の変形が可能である。例えば、各構成部、各ステップなどに含まれる機能などは論理的に矛盾しないように再配置可能であり、複数の構成部やステップなどを１つに組み合わせたり、或いは分割したりすることが可能である。
【産業上の利用可能性】
【００５４】
本開示は、生体情報報知装置及び生体情報報知方法に関する。
【符号の説明】
【００５５】
１：生体情報報知装置
２：本体部
３：装着部
１０：脈波情報取得部
２０：血圧情報取得部
３０：活動量情報取得部
４０：制御部
５０：記憶部
５１：血圧値日内変動情報
５２：初期血圧値情報
５３：生体履歴情報
６０：報知部
ｔ１〜ｔ９：時刻
【図１】
2019170502.tif 000003
【図２】
2019170502.tif 000004
【図３】
2019170502.tif 000005
【図４】
2019170502.tif 000006
【図５】
2019170502.tif 000007